(57)【要約】【課題】三脚の転倒、及び該三脚の天板に載せられた測量機器等の種々の機器の転倒を一層確実に防止する。【解決手段】三脚（１０）の少なくとも１つの脚部（４０）又は該脚部に取り付けられた別部材（９２）に形成された穴又は溝からなる支持部材取付部（９５）に棒状の支持部材（８０）を挿通させて、該支持部材を支持部材取付部（９５）から地面に向かって三脚の転倒に弱い方向に延びるように配置し、支持部材取付部（９５）に支持部材（８０）を挿通させた状態において、支持部材（８０）の下端部に形成された挿通穴（９９）に、固定具（１２０）を上方から差し込み、該固定具を地面に打ち込むか又はねじ込むことで、支持部材（８０）の下端部を地面に固定する。【選択図】図１１
2011145261.tif 000002
【特許請求の範囲】
【請求項１】
機器を載せる天板（１２）と、該天板（１２）に連結された３つの脚部（４０）とを備えた三脚（１０）を支持するための三脚支持装置であって、
前記脚部（４０）又は該脚部に取り付けられた別部材（９２）のいずれか一方の部材と、
該一方の部材（４０，９２）に形成された穴または溝からなる支持部材取付部（９５）に挿通可能であり、該支持部材取付部に挿通された状態において該支持部材取付部から地面に向かって三脚の転倒に弱い方向に延びるように配置される棒状の支持部材（８０）と、を備え、
該支持部材（８０）の下端部に、地面に打ち込まれるか又はねじ込まれる固定具（１２０）を差し込むための挿通穴（９９）が形成されていることを特徴とする三脚支持装置。
【請求項２】
前記支持部材（８０）の下端部に、平らな底面（１０４）を有する被固定部（９８）が設けられ、該被固定部に前記挿通穴（９９）が形成されていることを特徴とする請求項１に記載の三脚支持装置。
【請求項３】
機器を載せる天板（１２）と、
該天板（１２）に連結された３つの脚部（４０）と、
少なくとも１つの前記脚部（４０）又は該脚部に取り付けられた別部材（９２）に形成された穴または溝からなる支持部材取付部（９５）に挿通可能であり、該支持部材取付部に挿通された状態において前記支持部材取付部から地面に向かって三脚の転倒に弱い方向に延びるように配置される棒状の支持部材（８０）と、を備え、
該支持部材（８０）の下端部に、地面に打ち込まれるか又はねじ込まれる固定具（１２０）を差し込むための挿通穴（９９）が形成されていることを特徴とする三脚装置。
【請求項４】
前記支持部材（８０）の下端部に、平らな底面（１０４）を有する被固定部（９８）が設けられ、該被固定部に前記挿通穴（９９）が形成されていることを特徴とする請求項３に記載の三脚装置。
【請求項５】
機器を載せる天板（１２）と、該天板（１２）に連結された３つの脚部（４０）とを備えた三脚（１０）を支持するための支持部材（８０）であって、
少なくとも１つの前記脚部（４０）又は該脚部に取り付けられた別部材（９２）に形成された穴又は溝からなる支持部材取付部（９５）に挿通された状態において、該支持部材取付部から地面に向かって三脚の転倒に弱い方向に延びるように配置されるように棒状に形成され、
下端部に、地面に打ち込まれるか又はねじ込まれる固定具（１２０）を差し込むための挿通穴（９９）が形成されていることを特徴とする三脚用支持部材。
【請求項６】
下端部に、平らな底面（１０４）を有する被固定部（９８）が設けられ、該被固定部に前記挿通穴（９９）が形成されていることを特徴とする請求項５に記載の三脚用支持部材。
【請求項７】
機器を載せる天板（１２）と、該天板（１２）に連結された３つの脚部（４０）とを備えた三脚（１０）を支持するための方法であって、
少なくとも１つの前記脚部（４０）又は該脚部に取り付けられた別部材（９２）に形成された穴又は溝からなる支持部材取付部（９５）に棒状の支持部材（８０）を挿通させて、該支持部材を前記支持部材取付部（９５）から地面に向かって三脚の転倒に弱い方向に延びるように配置し、
前記支持部材取付部（９５）に前記支持部材（８０）を挿通させた状態において、前記支持部材（８０）の下端部に形成された挿通穴（９９）に、固定具（１２０）を上方から差し込み、該固定具を地面に打ち込むか又はねじ込むことで、前記支持部材（８０）の下端部を地面に固定することを特徴とする三脚支持方法。
【発明の詳細な説明】
【技術分野】
【０００１】
本発明は、三脚支持装置、三脚装置、三脚用支持部材および三脚支持方法に関する。
【背景技術】
【０００２】
三脚は、測量機器（水準器、測量用ターゲット、トランシット又はトータルステーション等）、望遠鏡、カメラ又は照明機器等といった種々の機器を支持する天板（テーブル）と、この天板に揺動自在に連結された３つの伸縮可能な脚部を有する。各脚部の下端には尖端部が取り付けてあり、地盤等へ位置決めが容易にできるようにしてある。
【０００３】
ところが、アスファルトやコンクリートで舗装された場所や建築物内（室内）において三脚を使用する場合、尖端部を地盤に差し込むことができないことが多いため、横方向の突風や移動体（例えば、運搬中の資材）の接触によって三脚が転倒することがある。例えば、三脚を用いて測量を行う場合、三脚と共に測量機器が転倒し、高価な測量機器を損傷する事故が多発していた。特に、トータルステーションなどの測量機器は極めて精密な光学装置であって、その修理には相当な費用を要する。実際、転倒に起因する測量機器の損害額については正確な数字は公表されていないが、経験的には、一台の測量機器が２〜３年に一回は転倒して修理を必要としているものと考えられる。具体的に、水準器については約１０，０００台、ターゲットについては２０，０００台が転倒によって損傷しているものと推定される。
【０００４】
この問題に鑑みて、本願発明者は、三脚または該三脚に取り付けられる別部材に、穴または溝からなる支持部材取付部を形成し、該支持部材取付部に棒状の支持部材を挿通させて、該支持部材を前記支持部材取付部から地面に向かって三脚の転倒に弱い方向に延びるように配置することで、三脚を支持する技術を提案している（特許文献１及び特許文献２参照）。この技術によれば、突風や衝突物等の作用により三脚のいずれかの脚が浮き上がったとしても、残りの脚に取り付けられた支持部材が三脚の傾きを抑制するように三脚を支持することで、三脚の転倒を確実に防止することができる。
【先行技術文献】
【特許文献】
【０００５】
【特許文献１】特許第４３４４００３号公報
【特許文献２】特許第４３４４００９号公報
【発明の概要】
【発明が解決しようとする課題】
【０００６】
しかし、上記の特許文献１及び特許文献２の技術を用いて三脚を支持する場合であっても、所定の方向からの風等の作用により三脚のいずれか１つの脚が浮き上がるとともに該脚に取り付けられた支持部材が前記脚と共に浮き上がるか又は三脚の傾きを十分に抑制できない位置へ移動した状態で、更に別の方向から突風や衝突物等が作用すると、この別方向の作用による三脚の傾きを支持部材により抑制できず、三脚の転倒を防止できないことがある。
【０００７】
そこで、本発明は、三脚の転倒、及び該三脚の天板に載せられた測量機器等の種々の機器の転倒を一層確実に防止することを目的とする。
【課題を解決するための手段】
【０００８】
上記課題を解決するため、本発明に係る三脚支持装置は、
機器を載せる天板（１２）と、該天板（１２）に連結された３つの脚部（４０）とを備えた三脚（１０）を支持するための三脚支持装置であって、
前記脚部（４０）又は該脚部に取り付けられた別部材（９２）のいずれか一方の部材と、
該一方の部材（４０，９２）に形成された穴または溝からなる支持部材取付部（９５）に挿通可能であり、該支持部材取付部に挿通された状態において該支持部材取付部から地面に向かって三脚の転倒に弱い方向に延びるように配置される棒状の支持部材（８０）と、を備え、
該支持部材（８０）の下端部に、地面に打ち込まれるか又はねじ込まれる固定具（１２０）を差し込むための挿通穴（９９）が形成されていることを特徴とする。
【０００９】
また、本発明に係る三脚装置は、
機器を載せる天板（１２）と、
該天板（１２）に連結された３つの脚部（４０）と、
少なくとも１つの前記脚部（４０）又は該脚部に取り付けられた別部材（９２）に形成された穴または溝からなる支持部材取付部（９５）に挿通可能であり、該支持部材取付部に挿通された状態において前記支持部材取付部から地面に向かって三脚の転倒に弱い方向に延びるように配置される棒状の支持部材（８０）と、を備え、
該支持部材（８０）の下端部に、地面に打ち込まれるか又はねじ込まれる固定具（１２０）を差し込むための挿通穴（９９）が形成されていることを特徴とする。
【００１０】
さらに、本発明に係る三脚用支持部材は、
機器を載せる天板（１２）と、該天板（１２）に連結された３つの脚部（４０）とを備えた三脚（１０）を支持するための支持部材（８０）であって、
少なくとも１つの前記脚部（４０）又は該脚部に取り付けられた別部材（９２）に形成された穴又は溝からなる支持部材取付部（９５）に挿通された状態において、該支持部材取付部から地面に向かって三脚の転倒に弱い方向に延びるように配置されるように棒状に形成され、
下端部に、地面に打ち込まれるか又はねじ込まれる固定具（１２０）を差し込むための挿通穴（９９）が形成されていることを特徴とする。
【００１１】
またさらに、本発明に係る三脚支持方法は、
機器を載せる天板（１２）と、該天板（１２）に連結された３つの脚部（４０）とを備えた三脚（１０）を支持するための方法であって、
少なくとも１つの前記脚部（４０）又は該脚部に取り付けられた別部材（９２）に形成された穴又は溝からなる支持部材取付部（９５）に棒状の支持部材（８０）を挿通させて、該支持部材を前記支持部材取付部（９５）から地面に向かって三脚の転倒に弱い方向に延びるように配置し、
前記支持部材取付部（９５）に前記支持部材（８０）を挿通させた状態において、前記支持部材（８０）の下端部に形成された挿通穴（９９）に、固定具（１２０）を上方から差し込み、該固定具を地面に打ち込むか又はねじ込むことで、前記支持部材（８０）の下端部を地面に固定することを特徴とする。
【発明の効果】
【００１２】
本発明によれば、三脚を支持する棒状の支持部材の下端部に形成された挿通穴に固定具を差し込み、該固定具を地面に打ち込むか又はねじ込むことで、支持部材の下端が浮き上がったり三脚の支持に不適当な位置へ移動したりすることを確実に防止できる。そのため、風等の作用により三脚のいずれかの脚部が浮き上がり該脚部の支持部材取付部が動いた場合でも、該支持部材取付部に取り付けられた支持部材は、前記挿通穴に差し込まれた固定具の軸部を中心として回動しながら、脚部に取り付けられた状態と地面に固定された状態とを維持するため、支持部材の三脚支持機能を良好に維持することができる。したがって、所定方向からの風等の作用によりいずれかの脚部が浮き上がった状態で更に別方向からの突風や衝突物等の作用が生じても、この別方向の作用による三脚の傾きを支持部材により確実に抑制することができる。よって、三脚の転倒、及び該三脚の天板に載せられた測量機器等の種々の機器の転倒を一層確実に防止することができる。
【図面の簡単な説明】
【００１３】
【図１】本発明の一実施形態に係る三脚を示す斜視図である。
【図２】図１に示す三脚を示す平面図である。
【図３】図１に示す三脚の下端部を示す分解斜視図である。
【図４】固定金具を示す斜視図である。
【図５】図４に示す固定金具を示す正面図である。
【図６】図３に示す部分の組立状態を示す斜視図である。
【図７】支持部材を示す斜視図である。
【図８】支持部材の抜け止め機能について説明するための図である。
【図９】三脚の脚部に沿って支持部材を保持した状態を示す平面図である。
【図１０】固定金具の穴に支持部材を差し込んだ状態を示す斜視図である。
【図１１】支持部材の取付け状態を示す斜視図である。
【図１２】「三脚の転倒に弱い方向」について説明するための図である。
【発明を実施するための形態】
【００１４】
以下、添付図面を参照して本発明の実施形態を説明する。なお、以下の説明する実施形態で共通する部材又は部位には同一又は類似の符号を付して説明は省略する。また、以下の説明では、特定の方向を示す用語（例えば、「上」、「下」、およびそれらを含む別の用語）を使用しているが、その方向は三脚の使用状態における方向を指す。さらに、以下の実施形態においては、測量用の三脚について説明するが、本発明は、測量機器以外の種々の機器（例えば、望遠鏡、カメラ又は照明機器等）を載せるために用いる三脚にも等しく適用できる。
【００１５】
図１と図２は、本発明の一実施形態に係る三脚１０を示す。三脚１０は、比較的平坦なアスファルト面やコンクリート床に測量機器を据え付ける際に好適に利用できるもので、水準器、測量用ターゲット、トランシット、トータルステーションなどの測量機器を支持する天板（テーブル）１２を有する。天板１２は、例えば概ね正三角形の平面形状を有する。
【００１６】
図２に示すように、天板１２は、中央に円形の開口（孔）１８を有する。開口１８の下には、天板１２上に設置される測量機器を固定する固定機構２０が設けてある。例えば、固定機構２０は、天板１２の下面に設けた軸２２と、軸２２を中心として水平面に沿って固定可能なガイド２４と、ガイド２４に形成されたスロット２６に沿って水平方向に移動可能なねじ２８を備えている。天板１２の周縁部には、天板１２の概略形状である正三角形の各辺に平行な３つの支軸３４が設けられている。これら３つの支軸３４の軸方向を示す一点鎖線３６ａ〜３６ｃで囲まれた領域が正三角形を形成し、その三角形領域の中心が天板１２の中心３８に一致している。
【００１７】
天板１２の支軸３４には、脚部４０（４０ａ〜４０ｃ）が連結されている。脚部４０は、脚上部４２と脚下部４４を有し、これらの脚上部４２と脚下部４４とにより脚部本体４１が構成されている。脚上部４２は、平行に配置された２つの脚４６を有する。２つの脚４６は、上部連結部４８と下部連結部５０によって互いに連結されており、それらの間に所定の横断面を有する案内部のガイドスロット５２が形成されている。
【００１８】
上部連結部４８は、支軸３４に連結されている。したがって、脚上部４２及び脚部４０は、支軸３４を中心として、天板１２の中心３８を通る垂直面に沿って、天板１２からほぼ垂直下方に延びる収納位置と、この収納位置から外側に開かれた開放位置の間を揺動できる。
【００１９】
上部連結部４８と下部連結部５０とにはベルト取付部１０４，１０６が設けられており、これらのベルト取付部１０４，１０６に、三脚１０を持ち運びする際に運搬者の肩に掛けるためのベルト１１０を取付け可能となっている。
【００２０】
図１に示すように、下部連結部５０には、ガイドスロット５２に沿って延びる挿通孔５４が形成されており、この挿通孔５４を通じて後述する脚下部４４がガイドスロット５２に収納できるようにしてある。
【００２１】
脚下部４４は一つの脚５６を有する。本実施形態では、脚５６は、ガイドスロット５２及び挿通孔５４とほぼ同一の横断面を有し、挿通孔５４を介してガイドスロット５２に挿入されている。したがって、脚上部４２に対する脚下部４４（具体的には、脚５６）の伸出量は自由に調節できる。脚上部４２に対する脚下部４４の伸出量を調節するとともに脚上部４２に対して脚下部４４を固定するために、脚上部４２の下部連結部５０はねじ５８を備えている。
【００２２】
脚５６の上端部には、挿通孔５４の横断面よりも大きな形状のストッパ６０が設けてあり、脚上部４２から脚下部４４が抜け落ちることが防止されている。
【００２３】
図３に示すように、脚５６は、三脚１０の中心側（内側）に位置する後面部７３と、後面部７３に対向する前面部７４と、後面部７３と前面部７４とに跨る一対の側面部７５，７６とを備えた角筒状の部材である。脚５６の下端部には、上下一対のボルト挿通穴７８，７９が設けられている。具体的に、ボルト挿通穴７８，７９は、脚５６の後面部７３と前面部７４とに設けられている。ボルト挿通穴７８，７９には、接地部材６２を脚５６に固定するためのボルト１００，１０１が挿通される。
【００２４】
なお、本実施形態では、一方のボルト１０１が後述の固定部材９２に一体的に設けられ、他方のボルト１００が固定部材９２とは別体となっているが、両方のボルト１００，１０１を固定部材９２と一体に設けたり、両方のボルト１００，１０１を固定部材９２とは別体としたりしてもよい。
【００２５】
脚部本体４１の下端、すなわち、脚５６の下端にはボルト１００により接地部材６２が固定されている。
【００２６】
接地部材６２は、水平又は略水平な方向に沿って配置される水平プレート６３と、水平プレート６３から立ち上がる一対の立ち上がりプレート６７，６８と、水平プレート６３から垂下する接地部材本体６４と、接地部材本体６４の下端から下方に突出した尖端部６５と、接地部材本体６４と水平プレート６３とに跨るリブプレート６６とを備えている。尖端部６５は、先端（下端）に向かって次第に断面が小さくなる円錐、円錐台、角錐、角錐台の形状を有する。また、接地部材６２は、一対の立ち上がりプレート６７，６８間に跨る連結プレート６９と、一対の立ち上がりプレート６７，６８間に跨る上下一対の円筒部７０，７１とを備えている。一対の円筒部７０，７１にはボルト１００，１０１の挿通が可能であり、円筒部７０，７１間の間隔は、脚５６のボルト挿通穴７８，７９間の間隔に等しくしてある。
【００２７】
接地部材６２を脚５６に取り付ける際は、先ず、一対の立ち上がりプレート６７，６８を、脚５６の下方から脚５６の下端部に嵌め込む。次に、脚５６のボルト挿通穴７８，７９と接地部材６２の円筒部７０，７１とを位置合わせした状態で、ボルト挿通穴７８，７９及び円筒部７０，７１にボルト１００，１０１を差し込む。続いて、ボルト１００，１０１の先端にナット１０２を螺合し、ナット１０２を締めつけることで、脚５６の下端に接地部材６２が固定される。このとき、接地部材６２と共に後述の固定部材９２が脚５６に固定されるが、その具体的な構成は後に説明する。
【００２８】
図１に示すように、脚部４０の下端部には、三脚１０を支持するための支持部材８０が取付け可能となっている。なお、図１においては、全ての脚部４０に支持部材８０が取り付けられた状態が示されているが、支持部材８０は、１本又は２本の脚部４０のみに取り付けて使用してもよい。
【００２９】
図３に示すように、本実施形態において、支持部材８０は、脚部４０の脚５６に着脱可能な固定部材９２を介して脚部４０に取付け可能である。
【００３０】
固定部材９２は、脚５６に取り付けられる取付プレート８１と、該取付プレート８１の表面に突設された突出部８６とを備えている。
【００３１】
図４に示すように、取付プレート８１は、脚５６の後面部７３に固定される例えば矩形のベース部８２と、後面部７３の短手方向に関してベース部８２の両端からそれぞれ裏面側へ直角に延びる一対の延長部８３，８４とを有する。ベース部８２の裏面には、脚５６の一方のボルト挿通穴７８に挿通されるボルト１０１が突設されている。また、ベース部８２には、脚５６の他方のボルト挿通穴７９に対応するボルト挿通穴８５がボルト１０１よりも例えば下側に形成されている。
【００３２】
脚５６に固定部材９２を固定する際は、先ず、固定部材９２の一対の延長部８３，８４により脚５６を挟み込みながら、脚５６の一方のボルト挿通穴７８に取付プレート８１のボルト１０１を差し込む。これにより、脚５６の他方のボルト挿通穴７９に、取付プレート８１のボルト挿通穴８５が位置合わせされる。このように位置合わせされたボルト挿通穴７９，８５にボルト１００を差し込んで後、２つのボルト１００，１０１にそれぞれナット１０２を螺合して締め付けることで、脚５６に固定部材９２が固定される（図６参照）。
【００３３】
なお、本実施形態において、固定部材９２は脚５６の後面部７３に固定されるが、脚５６の前面部７４に固定部材９２を固定してもよい。
【００３４】
突出部８６は、例えば溶接により取付プレート８１のベース部８２に固定されている。突出部８６は、取付プレート８１のベース部８２に対向配置される対向部８７と、該対向部８７の上端とベース部８２とに跨る上面部８８と、対向部８７の下端とベース部８２とに跨る下面部８９とを有する。突出部８６は、ベース部８２における対向部８７との対向部分と共に概略筒状部分を形成しており、該筒状部分の穴９５は、支持部材８０を取り付けるための支持部材取付部となっている。
【００３５】
なお、本実施形態では、支持部材取付部が穴９５により構成されているが、支持部材取付部は溝で構成するようにしてもよい。また、本実施形態では、支持部材取付部が固定金具９２に形成されているが、支持部材取付部を脚５６に形成することで支持部材８０を脚部４０に直接取付け可能としてもよい。
【００３６】
図５に示すように、突出部８６を構成する対向部８７，上面部８８及び下面部８９は、いずれも正面視において水平方向に対して傾斜して設けられている。上面部８８の上端部と下面部８９の下端部にはそれぞれ切り欠き９０，９１が形成されており、これにより、支持部材８０を穴９５に差し込みやすくなっている。
【００３７】
固定部材９２には、例えば金属が用いられるが、固定部材９２の材料は特に限定されるものではなく、例えば樹脂を用いることもできる。
【００３８】
本実施形態において、支持部材８０は直線状の棒材からなる。ただし、支持部材８０は、必ずしも直線状に形成する必要はなく、所定部分で屈曲した形状であってもよい。
【００３９】
支持部材８０は、該支持部材８０が固定金具９２の穴９５から抜けるのを防止するために支持部材８０の上端に設けられたストッパ部９６と、地面に固定するために支持部材８０の下端に設けられた被固定部９８と、ストッパ部９６と被固定部９８とに跨る中間部９７とを有する。
【００４０】
中間部９７は全長に亘って同一の断面形状を有する。本実施形態において、中間部９７の断面形状は円形であるが、円形以外の形状であってもよい。中間部９７の直径は、固定金具９２におけるベース部８２と対向部８７との間隔よりも僅かに小さい。そのため、固定金具９２の穴９５に支持部材８０を差し込んだ状態において、穴９５に対して中間部９７を長さ方向に容易にスライドさせることができる。
【００４１】
ストッパ部９６は、中間部９７の直径よりも大きな幅を有するように扁平に形成されている。具体的に、図１１に示す支持部材８０の取付状態におけるストッパ部９６の上面および下面が平らな面になっている。ストッパ部９６の幅は、固定金具９２におけるベース部８２と対向部８７との間隔よりも大きくなっている。そのため、図１１に示す支持部材８０の取付状態において、ストッパ部９６が固定金具９２の穴９５を通り抜けることがないため、支持部材８０が固定金具９２から脱落することを防止できる。
【００４２】
ストッパ部９６の上面には突出片１０２が設けられている。そのため、例えば図８に示すように支持部材８０が傾いたときでも、固定部材９２の対向部９７に突出片１０２が引っ掛かることで、支持部材８０が固定金具９２から脱落することを一層確実に防止できる。また、図９に示すように、支持部材８０を使用しないときに、突出片１０２を脚部４０の上側のベルト取付部１０４に係止することで、支持部材８０を脚部４０に沿った状態で保持することができる。
【００４３】
図７に戻って、被固定部９８は、中間部９７の直径よりも大きな幅を有するように扁平に形成されている。被固定部９８の幅は、固定金具９２におけるベース部８２と対向部８７との間隔よりも大きい。図１１に示す支持部材８０の取付状態において、被固定部９８の上面と下面とは、互いに平行で且つ中間部９７の長さ方向に対して傾斜した平面となっている。被固定部９８は平らな底面１０４を有するため、被固定部９８を安定して地面に載置することができる。
【００４４】
被固定部９８には、ピン１２０等の固定具を差し込むための挿通穴９９が形成されている。図１１に示す支持部材８０の取付状態において、挿通穴９９は、被固定部９８を上下方向に沿って貫通するように配置される。そのため、該挿通穴９９に上方から差し込んだピン１２０等の固定具を地面に打ち込むか又はねじ込むことで、被固定部９８を地面に容易に固定することが可能となっている。また、ピン１２０等の固定具により被固定部９８を地面に固定した状態において、支持部材８０は、前記固定具の軸部を中心として回動可能である。そのため、仮に風等の作用により三脚１０が傾き固定金具９２が脚部４０と共に移動した場合でも、支持部材８０は、挿通穴９９に差し込まれた固定具の軸部を中心として回動しながら、固定金具９２を介して脚部４０に取り付けられた状態と地面に固定された状態とを維持することができる。このようにして支持部材８０は回動するため、支持部材８０の被固定部９８の浮き上がりを防止できる。よって、挿通穴９９に差し込まれた固定具の頭部に対して被固定部９８からの上方向の力が加えられることを抑制できるため、固定具が抜けることを防止できる。
【００４５】
支持部材８０には、例えば金属が用いられるが、支持部材８０の材料は特に限定されるものではなく、例えば樹脂を用いることもできる。
【００４６】
図１０に示すように、固定部材９２に支持部材８０を取り付ける際は、先ず、支持部材８０の下端部を上方から固定部材９２の穴９５へ上側の切り欠き９０を通して差し込む。このとき、比較的大きな幅を有する支持部材８０の被固定部９８が穴９５を通過できるように、被固定部９８を適宜傾斜させた状態で支持部材８０を穴９５に差し込む。
【００４７】
支持部材８０の被固定部９８が穴９５を通過した後、引き続き支持部材８０を下側から順に穴９５に差し込み、支持部材８０の下端部を接地させる。これにより、支持部材８０は、中間部９７の上端部が穴９５に差し込まれた状態で固定金具９２を介して脚部４０に取り付けられる。
【００４８】
続いて、支持部材８０の被固定部９８の底面１０４を地面に載置した状態で、被固定部９８の挿通穴９９にピン１２０等の固定具を差し込み、該固定具を地面に打ち込むか又はねじ込むことにより、被固定部９８を地面に固定する。
【００４９】
このようにして固定部材９２を介して脚部４０に取り付けられた支持部材８０は、固定部材９２への取付け部分から地面に向かって三脚１０の転倒に弱い方向へ延びるように配置される。
【００５０】
ここで、図１２を参照しながら、「三脚１０の転倒に弱い方向」について説明する。図１２は、地面に設置した三脚１０を模式的に示す平面図である。図１２において、脚４０ａの下端の位置（接地部分）を地点Ａ、脚４０ｂの下端の位置（接地部分）を地点Ｂ、脚４０ｃの下端の位置（接地部分）を地点Ｃでそれぞれ表す。３つの脚部４０（４０ａ〜４０ｃ）に取り付けられた支持部材８０を代表して、脚部４０ｃに取り付けられた支持部材８０について検討する。例えば、三脚１０が符号７００で示す方向の力を受けたとき、この方向が「三脚１０の転倒に弱い方向」となるため、支持部材８０の先端を図中の地点ａに接地させることで、符号７００で示す方向の力に対して最も確実に三脚１０を支持することができる。しかし、地点ａからある程度ずれた地点に支持部材８０の先端を接地させた場合であっても、支持部材８０によりある程度の強度で三脚１０を支持することができる。また、例えば、三脚１０が符号７０１で示す方向の力を受けたときは、この方向が「三脚１０の転倒に弱い方向」となるため、支持部材８０の先端を図中の地点ｂに接地させることで、符号７０１で示す方向の力に対して最も確実に三脚１０を支持することができる。しかし、地点ｂからある程度ずれた地点に支持部材８０の先端を接地させた場合であっても、支持部材８０によりある程度の強度で三脚１０を支持することができる。このように、三脚１０を支持可能とする支持部材８０先端の接地点の領域はある程度広範であり、支持部材８０の先端を、図１２において地点Ａ、地点Ｂ及び地点Ｃを一点鎖線で結んで得られる三角形Ｔの外側の領域Ｒ内において支持部材８０の取付け部分近傍の地点に接地させることで、種々の方向の力に対して三脚１０を支持することができる。そこで、本明細書において、「三脚１０の転倒に弱い方向」とは、支持部材８０の取付け部分から領域Ｒ内の地点に向かう方向を指すものとする。
【００５１】
以上の実施形態によれば、突風や衝突物等の作用により三脚１０が傾いたときでも、支持部材８０により三脚１０を良好に支持することができ、これにより、三脚１０及び三脚１０の天板１２に載せられた測量機器の転倒を確実に防止することができる。
【００５２】
しかも、支持部材８０の被固定部９８が、地面に打ち込まれるか又はねじ込まれるピン１２０等の固定具により固定されるため、支持部材８０の下端が浮き上がったり三脚の支持に不適当な位置へ移動したりすることを確実に防止できる。そのため、風等の作用により三脚１０のいずれかの脚部４０が浮き上がり該脚部４０の固定金具９２が動いた場合でも、該固定金具９２を介して脚部４０に取り付けられた支持部材８０は、前記挿通穴９９に差し込まれた固定具の軸部を中心として回動しながら、脚部４０に取り付けられた状態と地面に固定された状態とを維持するため、支持部材８０の三脚支持機能を良好に維持することができる。したがって、所定方向からの風等の作用によりいずれかの脚部４０が浮き上がった状態で更に別方向からの突風や衝突物等の作用が生じても、この別方向の作用による三脚１０の傾きを支持部材８０により確実に抑制することができる。よって、三脚１０の転倒、及び該三脚１０の天板１２に載せられた測量機器等の種々の機器の転倒を一層確実に防止することができる。
【００５３】
以上、上述の実施形態を挙げて本発明を説明したが、本発明は上述の実施形態に限定されるものではない。
【符号の説明】
【００５４】
１０：三脚、１２：天板、４０：脚部、５６：脚、８０：支持部材、９２：固定部材、９５：固定部材の穴（支持部材取付部）、９８：支持部材の被固定部、９９：被固定部の挿通穴、１０４：被固定部の底面。
【図１】
2011145261.tif 000003
【図２】
2011145261.tif 000004
【図３】
2011145261.tif 000005
【図４】
2011145261.tif 000006
【図５】
2011145261.tif 000007
【図６】
2011145261.tif 000008
【図７】
2011145261.tif 000009
【図８】
2011145261.tif 000010
【図９】
2011145261.tif 000011
【図１０】
2011145261.tif 000012
【図１１】
2011145261.tif 000013
【図１２】
2011145261.tif 000014
【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
機器を載せる天板（１２）と該天板（１２）に連結された３つの脚部（４０）とを備えた三脚（１０）を支持するために、
前記脚部（４０）の内面又は外面に取り付けられる固定部材（９２）と、
前記固定部材（９２）に組み合わされて前記三脚（１０）の転倒を防止する支持部材（８０）を備えた三脚支持装置であって、
前記固定部材（９２）は、上下方向に斜めに傾斜した貫通穴（９５）を有し、前記貫通穴（９５）を形成する上壁（８８）は傾斜方向上端から傾斜方向下端に向かって延びる上部切り欠き（９０）を有し、前記貫通穴（９５）を形成する下壁（８９）は傾斜方向下端から傾斜方向上端に向かって延びる下部切り欠き（９１）を有し、
前記支持部材（８０）は、前記貫通穴（９５）を傾斜方向上端から傾斜方向下端に向かって貫通可能な大きさを有する棒（９７）を有し、
前記棒（９７）の一端を前記上部切り欠き（９０）から前記貫通穴（９５）に挿入させるとともに前記下部切り欠き（９１）を介して前記貫通穴（９５）から突出させることができるようにしたことを特徴とする三脚支持装置。
【請求項２】
前記棒（９７）の他端は前記貫通穴（９５）を貫通不能な大きさのストッパ部（９６）を有することを特徴とする請求項１の三脚支持装置。
【請求項３】
前記棒（９７）は断面円形を有し、前記棒（９７）のストッパ部（９６）は前記棒（９７）の直径よりも大きな幅を有する扁平な形を有することを特徴とする請求項２の三脚支持装置。
【請求項４】
前記棒（９７）の前記他端は前記棒（９７）の径方向外側に延びる突出片（１０２）を有することを特徴とする請求項１〜３のいずれかの三脚支持装置。
【請求項５】
前記棒（９７）の前記一端は、前記一端を地面に固定するためのピン（１２０）が貫通可能な穴（９９）を有することを特徴とする請求項１〜４のいずれかの三脚支持装置。
【請求項６】
前記請求項１〜５のいずれかの三脚支持装置を備えた三脚。
【手続補正２】
【補正対象書類名】明細書
【補正対象項目名】０００８
【補正方法】変更
【補正の内容】
【０００８】
上記課題を解決するため、本発明に係る三脚支持装置は、
機器を載せる天板（１２）と該天板（１２）に連結された３つの脚部（４０）とを備えた三脚（１０）を支持するために、
前記脚部（４０）の内面又は外面に取り付けられる固定部材（９２）と、
前記固定部材（９２）に組み合わされて前記三脚（１０）の転倒を防止する支持部材（８０）を備えた三脚支持装置であって、
前記固定部材（９２）は、上下方向に斜めに傾斜した貫通穴（９５）を有し、前記貫通穴（９５）を形成する上壁（８８）は傾斜方向上端から傾斜方向下端に向かって延びる上部切り欠き（９０）を有し、前記貫通穴（９５）を形成する下壁（８９）は傾斜方向下端から傾斜方向上端に向かって延びる下部切り欠き（９１）を有し、
前記支持部材（８０）は、前記貫通穴（９５）を傾斜方向上端から傾斜方向下端に向かって貫通可能な大きさを有する棒（９７）を有し、
前記棒（９７）の一端を前記上部切り欠き（９０）から前記貫通穴（９５）に挿入させるとともに前記下部切り欠き（９１）を介して前記貫通穴（９５）から突出させることができるようにしたことを特徴とする。
【手続補正３】
【補正対象書類名】明細書
【補正対象項目名】０００９
【補正方法】変更
【補正の内容】
【０００９】
また、本発明に係る三脚は、上記の三脚支持装置を備えたことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】